【事件の表示】
　特願２００６−１５２５７６「プリンタシステムおよびプリンタ制御方法」拒絶査定不服審判事件〔平成１９年１２月１３日出願公開、特開２００７−３２０１６１〕について、次のとおり審決する。
【結　論】
　本件審判の請求は、成り立たない。
【理　由】
 　
１．手続の経緯・本願発明
　本願は、平成１８年５月３１日の出願であって、平成２０年１２月１５日付けで拒絶査定がなされ、これに対し、平成２１年２月５日に拒絶査定に対する審判請求がなされるとともに、同年３月６日付けで特許請求の範囲及び明細書に係る手続補正がなされた後、審査官により作成された前置報告書について、平成２２年４月２日付けで審尋がなされたところ、審判請求人から同年６月２５日付けで回答書が提出されたものである。
　さらに、当審において平成２２年７月１６日付けで拒絶理由通知がなされ、それに対して、同年１０月１８日付けで意見書及び手続補正書が提出されたものである。
　
　本願に係る発明は、平成２２年１０月１８日付けで補正された特許請求の範囲の請求項１ないし５に記載されたものと認められるところ、その請求項１に記載された発明（以下「本願発明」という。）は、次のとおりのものである。
　
「　ホスト装置およびこのホスト装置とのデータ送受信が可能なサーマルプリンタからなるプリンタシステムにおいて、
　前記サーマルプリンタは、
　両面に感熱層を有し所定方向に給紙されるサーマル用紙と、
　このサーマル用紙の一方の面に対応して設けられ、入力されるプリント用データをその一方の面にプリントする第１サーマルヘッドと、
　前記サーマル用紙の他方の面に対応して設けられ、入力されるプリント用データをその他方の面にプリントする第２サーマルヘッドと、
　前記ホスト装置から入力されるプリント用データを、第１プリント用データと第２プリント用データに分ける制御手段と、
　この制御手段で分けられた第１および第２プリント用データを記憶する記憶手段と、
　動作条件設定用の操作部と、
　前記操作部で第１動作モードが設定されると、あるいは前記ホスト装置から第１動作モードが指令されると、前記記憶手段内の第１プリント用データを最上位ビットから最下位ビットの方向にシリアルに読出して前記第１サーマルヘッドに入力し前記サーマル用紙の一方の面に対する順方向プリントを実行し、この実行に引き続き、前記記憶手段内の第２プリント用データを最上位ビットから最下位ビットの方向にシリアルに読出して前記第２サーマルヘッドに入力し前記サーマル用紙の他方の面に対する順方向プリントを実行する制御手段と、
　前記操作部で第２動作モードが設定されると、あるいは前記ホスト装置から第２動作モードが指令されると、前記記憶手段内の第１プリント用データを最下位ビットから最上位ビットの方向にシリアルに読出して前記第１サーマルヘッドに入力し前記サーマル用紙の一方の面に対する逆方向プリントを実行し、この実行に引き続き、前記記憶手段内の第２プリント用データを最上位ビットから最下位ビットの方向にシリアルに読出して前記第２サーマルヘッドに入力し前記サーマル用紙の他方の面に対する順方向プリントを実行する制御手段と、
　前記操作部で第３動作モードが設定されると、あるいは前記ホスト装置から第３動作モードが指令されると、前記記憶手段内の第１プリント用データを最上位ビットから最下位ビットの方向にシリアルに読出して前記第１サーマルヘッドに入力し前記サーマル用紙の一方の面に対する順方向プリントを実行し、この実行に引き続き、前記記憶手段内の第２プリント用データを最下位ビットから最上位ビットの方向にシリアルに読出して前記第２サーマルヘッドに入力し前記サーマル用紙の他方の面に対する逆方向プリントを実行する制御手段と、
　前記操作部で第４動作モードが設定されると、あるいは前記ホスト装置から第４動作モードが指令されると、前記記憶手段内の第１プリント用データを最下位ビットから最上位ビットの方向にシリアルに読出して前記第１サーマルヘッドに入力し前記サーマル用紙の一方の面に対する逆方向プリントを実行し、この実行に引き続き、前記記憶手段内の第２プリント用データを最下位ビットから最上位ビットの方向にシリアルに読出して前記第２サーマルヘッドに入力し前記サーマル用紙の他方の面に対する逆方向プリントを実行する制御手段と、
　前記各順方向プリントおよび前記各逆方向プリントの実行に際し、前記第１サーマルヘッドおよび第２サーマルヘッドのうち、前記サーマル用紙の給紙方向上流側に存するサーマルヘッドの駆動を先ず開始し、その上流側のサーマルヘッドの駆動に基づく前記サーマル用紙へのプリント開始位置が下流側に存するサーマルヘッドに対応したところで、その下流側のサーマルヘッドの駆動を開始する制御手段と、
　を備えることを特徴とするプリンタシステム。」
　
２．引用された刊行物記載の発明
（刊行物１について）
　当審からの拒絶の理由に引用された特開２００３−５８９５０号公報（以下「刊行物１」という。）には、次の事項が記載されている（下線は審決で付した。）。
　
（１−ａ）「【請求項１】  レシートを発行する装置であって、
ａ）レシート用連続用紙の第１面に印字を行う第１印字ヘッドと
ｂ）前記第１印字ヘッドに対向配置され、前記連続用紙を前記第１印字ヘッドに圧接させつつ搬送する第１プラテンローラーと
ｃ）前記連続用紙の進行面をはさんで、前記第１印字ヘッドと反対側の空間に配置され、前記連続用紙の第２面に印字を行う第２印字ヘッドと
ｄ）前記第２印字ヘッドに対向配置され、前記連続用紙を前記第２印字ヘッドに圧接させつつ搬送する第２プラテンローラーと、を備える
レシート発行装置
【請求項２】  レシートを発行する装置であって、
レシート用連続用紙の第１面への印字と前記連続用紙の第２面への印字とを、並行して行うことを特徴とするレシート発行装置。
【請求項３】  請求項１または請求項２に記載のレシート発行装置であって、
前記連続用紙の第１面への印字と第２面への印字とを、略同時に開始し、かつ略同速度で行う印字制御手段を備える
【請求項４】  請求項１ないし請求項３のいずれかに記載のレシート発行装置であって、
前記連続用紙の各面にそれぞれに印字されるデータを振り分ける、印字データ振り分け部を備える
　
（１−ｂ）「【００３０】だだし、本実施形態の場合、
表面Ｒａおよび裏面Ｒｂへの印字は、制御部５０により独立して制御されるので、常に両面同時に印字を実行しているとは限らない
どちらかの面のみが先に印字を開始および終了することも可能である
　
（１−ｃ）「【００４９】＜第２の実施形態＞第１の実施形態では、レシートに印字すべきデータをレシート用紙の両面に印字するために、印字データを振り分ける方法として、方法１のように印字データ種（印字内容）により振り分ける方法を採用しているが、印字データの振り分け方法は、これに限定されない。第２の実施形態では、レシート用紙に印字すべきデータの量（長さ）に基づき、印字に必要となるレシート用紙の長さができるだけ短くなるように、あるいは、空白部ができるだけ生じないように、印字データを振り分ける方法である。これを方法２とする。
【００５０】＜方法２：印字データ量による振り分け＞方法２は、全印字データＤＰＡから想定される印字長さに基づき、レシート用紙Ｒの使用量ができるだけ短くなるように、表面Ｒａへの印字内容に相当する第１印字データＤＰａと、裏面Ｒｂへの印字内容に相当する第２印字データＤＰｂとを定める方法である。
【００５１】全印字データＤＰＡの長さをＬＰ０とすると、レシート用紙Ｒの長さが最も短くなるのは、
【００５２】
【数２】（省略）
【００５３】が成り立つときである。数２の両辺の差をとると、
【００５４】
【数３】（省略）
【００５５】であり、これは数１と同値である。すなわち、ある長さの印字データを両面に印字するときには、図３（ｃ）のように、レシート用紙Ｒの両面で同時に印字を開始し、裏面Ｒｂの印字終了位置で表面Ｒａの印字を終了する場合が、レシート用紙Ｒの使用量が最小となる。
【００５６】方法２により印字データの振り分けを行う場合はまず、全印字データＤＰＡを構成する各データの印字順序を、あらかじめ定めておく。購入データＤＢに基づき全印字データＤＰＡの印字長さＬＰ０が確定すると、数２に従い両面の印字長さＬＰａおよびＬＰｂが定まるので、順序の早いデータが第１印字データＤＰａとして、残りのデータが第２印字データＤＰｂとして定められる。
【００５７】図８は、図６の全印字データＤＰＡを、方法２に基づいて、レシート用紙Ｒ２の両面に印字した場合の印字例を示す図である。図８（ａ）は表面Ｒａ２を、図８（ｂ）は表面裏ｂ２を示している。図８の印字例は、次のように印字順序を定めた場合に相当する。
【００５８】１）定型データＤＦ（１）；
２）販売データＤＳ（ＤＳＴ、ＤＳ（１）、ＤＳ（２））；
３）商品情報データＤＩ（ＤＩ（１）、ＤＩ（２））；
４）定型データＤＦ（２）；
ただし、印字順序はこれに限定されないし、付加データＤＡを全印字データＤＰＡに含めてもよい。
【００５９】また、印字長さの関係から、１）の定型データＤＦ（１）から商品情報データＤＩ（１）の一部までが第１印字データＤＰａとして表面Ｒａ２に、残りが第２印字データＤＰｂとして裏面Ｒｂ２に印字されている。
【００６０】なお、従来の方法で印字されるレシートの多くは、用紙下部に合計金額の印字がなされることが多いが、本実施形態の場合、従来の方法に準じて印字順序を後段にすると、印字が裏面Ｒｂ２になされるか、場合によっては両面にまたがってしまう可能性も考えられる。合計金額はレシートにおいて顧客がもっとも注目する印字内容であるので、それらに起因する視認性の低下を避けるために、図８の場合、合計データＤＳＴを定型データＤＦ（１）の次に印字するよう設定している。
【００６１】以上説明したように、方法２においては、印字長さが数２に従うように全印字データＤＰＡを振り分けることで、使用するレシート用紙の長さを最小にすることができる。方法２により、方法１に従う場合には表裏面のいずれかに印字データが大きく偏り、付加データＤＡだけでは十分に空白部が埋まらないような全印字データＤＰＡであっても、空白部を生じさせることなく、両面への印字を行うことができる。また、レシート用紙の長さを最小にすることで、印字時間も最小となる。」
　
（１−ｄ）図面の簡単な説明として、
「【図８】方法２に基づく印字例を示す図である。」
　
（１−ｅ）図８として、
「
」
　
　上記（１−ｅ）において、「両面の印字終了位置を一致させている」ことが看取できるから、上記（１−ｂ）の「表面Ｒａおよび裏面Ｒｂへの印字は、制御部５０により独立して制御される」及び「どちらかの面のみが先に印字を開始および終了することも可能である」との記載も参酌すると、刊行物１に記載の「シート発行装置」の「印字制御手段」は、「連続用紙の第１面への印字と連続用紙の第２面への印字とを、独立して制御が可能で、どちらかの面のみが先に印字を開始および終了することも可能」であり、かつ、「給紙方向上流側の印字ヘッドに対応する面への印字を先に終了させて、両面の印字終了位置を一致させることが可能」であるといえる。
　
　以上の事項を総合すると、刊行物１には、次の発明（以下「刊行物１発明」という。）が開示されていると認められる。
　
「ａ）レシート用連続用紙の第１面に印字を行う第１印字ヘッドと、
ｂ）前記第１印字ヘッドに対向配置され、前記連続用紙を前記第１印字ヘッドに圧接させつつ搬送する第１プラテンローラーと、
ｃ）前記連続用紙の進行面をはさんで、前記第１印字ヘッドと反対側の空間に配置され、前記連続用紙の第２面に印字を行う第２印字ヘッドと、
ｄ）前記第２印字ヘッドに対向配置され、前記連続用紙を前記第２印字ヘッドに圧接させつつ搬送する第２プラテンローラーと、
ｅ）前記連続用紙の第１面への印字と前記連続用紙の第２面への印字とを、独立して制御が可能で、どちらかの面のみが先に印字を開始および終了することも可能である、印字制御手段と、
ｆ）前記連続用紙の各面にそれぞれに印字されるデータを振り分ける、印字データ振り分け部とを備え、
　前記印字制御手段は、給紙方向上流側の印字ヘッドに対応する面への印字を先に終了させて、両面の印字終了位置を一致させることが可能である、
　レシート発行装置。」
　　
３．対比
　本願発明と刊行物１発明とを対比する。
　
ア　刊行物１発明の「レシート用連続用紙」と、本願発明の「両面に感熱層を有し所定方向に給紙されるサーマル用紙」とは、「両面に印字面を有し所定方向に給紙される連続用紙」で共通する。
　
イ　刊行物１発明の「レシート発行装置」と、本願発明の「ホスト装置およびこのホスト装置とのデータ送受信が可能なサーマルプリンタからなるプリンタシステム」とは、「印字装置」で共通する。
　
ウ　刊行物１発明の「レシート用連続用紙の第１面に印字を行う第１印字ヘッド」と、本願発明の「入力されるプリントデータを前記サーマル用紙の一方の面にプリントする第１サーマルヘッド」とは、
「入力されるプリントデータを前記連続用紙の一方の面にプリントする第１印字ヘッド」で共通し、
　刊行物１発明の「前記連続用紙の進行面をはさんで、前記第１印字ヘッドと反対側の空間に配置され、前記連続用紙の第２面に印字を行う第２印字ヘッド」と、本願発明の前記サーマル用紙の給紙方向において前記第１サーマルヘッドよりも上流側の位置に設けられ、入力されるプリントデータを前記サーマル用紙の他方の面にプリントする第２サーマルヘッド」とは、
「前記連続用紙の給紙方向において前記第１印字ヘッドよりも上流側の位置に設けられ、入力されるプリントデータを前記連続用紙の他方の面にプリントする第２印字ヘッド」で共通する。
　
エ　刊行物１発明の「前記連続用紙の各面にそれぞれに印字されるデータを振り分ける、印字データ振り分け部」は、本願発明の「プリント用データを、第１プリント用データと第２プリント用データに分ける制御手段」に相当する。
　
オ　刊行物１発明の「『前記連続用紙の第１面への印字と前記連続用紙の第２面への印字とを、独立して制御が可能で、どちらかの面のみが先に印字を開始および終了することも可能』であって、『給紙方向上流側の印字ヘッドに対応する面への印字を先に終了させて、両面の印字終了位置を一致させることが可能である』、『印字制御手段』」と、
　本願発明の「前記各順方向プリントおよび前記各逆方向プリントの実行に際し、前記第１サーマルヘッドおよび第２サーマルヘッドのうち、前記サーマル用紙の給紙方向上流側に存するサーマルヘッドの駆動を先ず開始し、その上流側のサーマルヘッドの駆動に基づく前記サーマル用紙へのプリント開始位置が下流側に存するサーマルヘッドに対応したところで、その下流側のサーマルヘッドの駆動を開始する制御手段」とは、
　「前記連続用紙の第１面への印字と前記連続用紙の第２面への印字とを、独立して制御が可能である、制御手段」で共通する。
　
カ　本願発明においても、刊行物１発明の「前記第１印字ヘッドに対向配置され、前記連続用紙を前記第１印字ヘッドに圧接させつつ搬送する第１プラテンローラー」及び「前記第２印字ヘッドに対向配置され、前記連続用紙を前記第２印字ヘッドに圧接させつつ搬送する第２プラテンローラー」に相当する構成を有することは、本願明細書及び図面の記載から明らかであるから、この点では両者は相違しない。
　また、刊行物１発明において、本願発明の「この制御手段で分けられた第１および第２プリント用データを記憶する記憶手段」及び「動作条件設定用の操作部」と同様の構成を備えることも、刊行物１の記載から明らかな事項である。
　
キ　上記ア〜カから、本願発明と、刊行物１発明とは、
「両面に感熱層を有し所定方向に給紙されるサーマル用紙と、
　このサーマル用紙の一方の面に対応して設けられ、入力されるプリント用データをその一方の面にプリントする第１サーマルヘッドと、
　前記サーマル用紙の他方の面に対応して設けられ、入力されるプリント用データをその他方の面にプリントする第２サーマルヘッドと、
　前記ホスト装置から入力されるプリント用データを、第１プリント用データと第２プリント用データに分ける制御手段と、
　この制御手段で分けられた第１および第２プリント用データを記憶する記憶手段と、
　動作条件設定用の操作部と、
　前記連続用紙の第１面への印字と前記連続用紙の第２面への印字とを、独立して制御が可能である、制御手段と、
　を備える、印字装置。」で一致し、下記の点で相違する。
　
［相違点１］： 
「連続用紙」、「第１印字ヘッド」、「第２印字ヘッド」、及び、「印字装置」に関して、
　本願発明は、「連続用紙」が「両面に感熱層を有し所定方向に給紙されるサーマル用紙」であり、「第１印字ヘッド」、「第２印字ヘッド」は「第１サーマルヘッド」、「第２サーマルヘッド」であり、「印字装置」が「サーマルプリンタ」であって、かつ、「ホスト装置およびこのホスト装置とのデータ送受信が可能なサーマルプリンタからなるプリンタシステム」であるのに対し、
　刊行物１発明は、「サーマル用紙」、「サーマルヘッド」、「サーマルプリンタ」との特定がなく、「印字装置」が「レシート発行装置」であり、「ホスト装置およびこのホスト装置とのデータ送受信が可能な印字装置（サーマルプリンタ）からなるプリンタシステム」との特定がない点。
　
［相違点２］：
「前記連続用紙の第１面への印字と前記連続用紙の第２面への印字とを、独立して制御が可能である、制御手段」に関して、
　本願発明は、「制御手段」が「前記各順方向プリントおよび前記各逆方向プリントの実行に際し、前記第１サーマルヘッド（印字ヘッド）および第２サーマルヘッド（印字ヘッド）のうち、前記サーマル用紙（連続用紙）の給紙方向上流側に存するサーマルヘッド（印字ヘッド）の駆動を先ず開始し、その上流側のサーマルヘッド（印字ヘッド）の駆動に基づく前記サーマル用紙（連続用紙）へのプリント開始位置が下流側に存するサーマルヘッド（印字ヘッド）に対応したところで、その下流側のサーマルヘッド（印字ヘッド）の駆動を開始する」のに対して、
　刊行物１発明は、「どちらかの面のみが先に印字を開始および終了することも可能」であり、「給紙方向上流側の印字ヘッドに対応する面への印字を先に終了させて、両面の印字終了位置を一致させることが可能である」ものの、上記の特定がない点。
　
［相違点３］：
　本願発明は、「前記連続用紙の第１面への印字と前記連続用紙の第２面への印字とを、独立して制御が可能である、制御手段」に加えて、
「前記操作部で第１動作モードが設定されると、あるいは前記ホスト装置から第１動作モードが指令されると、前記記憶手段内の第１プリント用データを最上位ビットから最下位ビットの方向にシリアルに読出して前記第１サーマルヘッド（印字ヘッド）に入力し前記サーマル用紙（連続用紙）の一方の面に対する順方向プリントを実行し、この実行に引き続き、前記記憶手段内の第２プリント用データを最上位ビットから最下位ビットの方向にシリアルに読出して前記第２サーマルヘッド（印字ヘッド）に入力し前記サーマル用紙（連続用紙）の他方の面に対する順方向プリントを実行する制御手段と、
　前記操作部で第２動作モードが設定されると、あるいは前記ホスト装置から第２動作モードが指令されると、前記記憶手段内の第１プリント用データを最下位ビットから最上位ビットの方向にシリアルに読出して前記第１サーマルヘッド（印字ヘッド）に入力し前記サーマル用紙（連続用紙）の一方の面に対する逆方向プリントを実行し、この実行に引き続き、前記記憶手段内の第２プリント用データを最上位ビットから最下位ビットの方向にシリアルに読出して前記第２サーマルヘッド（印字ヘッド）に入力し前記サーマル用紙（連続用紙）の他方の面に対する順方向プリントを実行する制御手段と、
　前記操作部で第３動作モードが設定されると、あるいは前記ホスト装置から第３動作モードが指令されると、前記記憶手段内の第１プリント用データを最上位ビットから最下位ビットの方向にシリアルに読出して前記第１サーマルヘッド（印字ヘッド）に入力し前記サーマル用紙（連続用紙）の一方の面に対する順方向プリントを実行し、この実行に引き続き、前記記憶手段内の第２プリント用データを最下位ビットから最上位ビットの方向にシリアルに読出して前記第２サーマルヘッド（印字ヘッド）に入力し前記サーマル用紙（連続用紙）の他方の面に対する逆方向プリントを実行する制御手段と、
　前記操作部で第４動作モードが設定されると、あるいは前記ホスト装置から第４動作モードが指令されると、前記記憶手段内の第１プリント用データを最下位ビットから最上位ビットの方向にシリアルに読出して前記第１サーマルヘッド（印字ヘッド）に入力し前記サーマル用紙（連続用紙）の一方の面に対する逆方向プリントを実行し、この実行に引き続き、前記記憶手段内の第２プリント用データを最下位ビットから最上位ビットの方向にシリアルに読出して前記第２サーマルヘッド（印字ヘッド）に入力し前記サーマル用紙（連続用紙）の他方の面に対する逆方向プリントを実行する制御手段と」を備えるのに対して、
　刊行物１発明には、そのような特定がない点。
　
４．当審の判断
　上記相違点について、検討する。
　
（１）相違点１について
ア　まず、刊行物１発明の印字装置（レシート発行装置）において、印字ヘッドがサーマル式であるどうかは不明である。
　
イ　しかしながら、レシート発行装置において、サーマル式の印字ヘッドを用いたものは、従来周知（例．特開平７−１２９８５４号公報、特開平７−３０６９７４号公報参照）であり、また、両面に感熱層を有するサーマル用紙（感熱記録用紙）も周知（例．特開平９−８６０４１号公報（段落【０００１】〜【０００５】）、特開平９−６６６６７号公報（段落【００３２】）、実願平５−１４１６号（実開平６−５７６６３号）のＣＤ−ＲＯＭ（【請求項１】）参照。）であるから、刊行物１発明の印字装置（レシート発行装置）において、サーマル式の印字ヘッド、及び、両面に感熱層を有し所定方向に給紙されるサーマル用紙を採用する程度のことは、当業者が適宜なし得たことである。
　
ウ　そして、「レシート発行装置」は「印字装置」の一種であるところ、これの印字ヘッドにサーマル式のものを用いたものは、サーマルプリンタとなる。
　 
エ　また、サーマルプリンタを含むプリンタ（印字装置）において、ホスト装置とのデータ送受信が可能なプリンタ（印字装置）と、ホスト装置からなるプリンタシステムを構成することは、文献等を提示するまでもなく、周知の技術である。
　
オ　したがって、刊行物１発明において、「印字ヘッド」を「サーマルヘッド」とし、「連続用紙」として「両面に感熱層を有し所定方向に給紙されるサーマル用紙」を採用し、「印字装置」（レシート発行装置）を「サーマルプリンタ」とするとともに、「ホスト装置およびこのホスト装置とのデータ送受信が可能なサーマルプリンタからなるプリンタシステム」とすることは、当業者が上記イ及びエの周知技術に基づいて適宜なし得たことである。 
　 
（２）相違点２について
ア　まず、刊行物１発明の「どちらかの面のみが先に印字を開始（および終了）することも可能である」こととは、すなわち、「給紙方向上流側の印字ヘッドに対応する面（第２面）への印字を先に開始する」か、それとも、「給紙方向下流側の印字ヘッドに対応する面（第１面）への印字を先に開始する」かであるから、刊行物１発明は、「給紙方向上流側の印字ヘッドに対応する面への印字を先に開始する」構成を有しているといえる。
　
イ　文書等の作成において各ページの印字開始位置をそろえることは、通常行われることであるから、両面印字を行う際に印字開始位置をそろえる程度のことは、当業者が適宜なし得る設計的事項に過ぎない。
　
ウ　上記ア及びイに加えて、刊行物１発明が「給紙方向上流側の印字ヘッドに対応する面への印字を先に終了させて、両面の印字終了位置を一致させることが可能である」ことを踏まえれば、「給紙方向上流側の印字ヘッドに対応する面への印字を先に開始する」ことによって、「両面の印字開始位置を一致させる」こと、すなわち、「上流側の印字ヘッドの駆動に基づく連続用紙へのプリント開始位置が下流側に存する印字ヘッドに対応したところで、その下流側の印字ヘッドの駆動を開始する」ことは、当業者が適宜なし得たことである。
　
ウ　したがって、刊行物１発明において、相違点２に係る構成を採用することは、当業者が適宜なし得たことである。
　
（３）相違点３について
ア　まず、両面印字が可能なプリンタにおいて、表面の印字方向と、裏面の印字方向とを逆転可能とすることは、従来周知の技術である（例．当審からの拒絶理由に引用された刊行物２（特開昭５７−９３４８６号公報）及び刊行物３（特開昭６３−１３７８４７号公報）参照。）。
　
イ　そして、表面の印字方向について、順方向又は逆方向とし、裏面の印字方向として、順方向又は逆方向とすれば、プリンタの印字モードが４通りとなることは、当業者にとって自明の事項である。
　
ウ　上記ア及びイから、刊行物１発明において、相違点３に係る構成を採用することは、当業者が上記アの周知技術に基づいて容易になし得たことである。
　
（３）本願発明が奏する効果について
　そして、本願発明が奏する効果は、刊行物１に記載された事項及び周知技術から予測できる程度のものであって、格別のものではない。
　
（４）まとめ
　以上のとおり、本願発明は、当業者が刊行物１に記載された発明及び周知技術に基づいて容易に発明をすることができたものである。
　
５．むすび
　以上のとおり、本願の請求項１に係る発明は、当業者が刊行物１に記載の発明及び周知技術に基づいて容易に発明をすることができたものであるから、特許法第２９条第２項の規定により特許を受けることができない。
　したがって、本願のその他の請求項に係る発明について検討するまでもなく、本願は拒絶すべきものである。
　
　よって、結論のとおり審決する。